(57)【要約】  本発明の実施形態は、映像再生方法及びインスタントメッセージング（ＩＭ）クライアントを提供する。上記方法は、映像リンクを受信したとき、ＩＭクライアントにより、クライアントウィンドウを介して、映像リンク、対応する映像の概要情報、及びローカル再生操作ポータルを表示する段階と、ローカル再生操作ポータルを介してユーザからの再生リクエストを受信したとき、ＩＭクライアントにより、映像再生ウィンドウを生成し、映像リンクに従って、対応する映像を取得し、生成した映像再生ウィンドウを介して、取得した映像を再生する段階とを有する。本発明の実施形態による技術的解決策を採用することで、取得した映像を、生成した映像再生ウィンドウを介して再生できるようになる。したがって、ユーザは、ＩＭクライアントを利用しながら、映像を再生可能となる。映像再生とＩＭクライアントとの統合が実現され、ユーザ体験を向上させる。
2013546052.tif 000002
【特許請求の範囲】
【請求項１】
インスタントメッセージング（ＩＭ）システムに適用される映像再生のための方法であって、
映像リンクを受信したとき、前記ＩＭシステムのクライアントにより、クライアントウィンドウを介して、前記映像リンク、対応する映像の概要情報、及びローカル再生操作ポータルを表示する段階と、
前記ローカル再生操作ポータルを介してユーザからの再生リクエストを受信したとき、前記クライアントにより、映像再生ウィンドウを生成し、前記映像リンクに従って、対応する映像を取得し、生成した前記映像再生ウィンドウを介して、取得した前記対応する映像を再生する段階と
を有することを特徴とする方法。
【請求項２】
前記映像リンクを受信したとき、前記クライアントにより、前記対応する映像を取得する前に、前記映像リンクの認証を行うように認証サーバに要求し、前記認証サーバによって送信される認証結果を受信する段階と、
前記映像リンクを受信し、かつ、認証の結果、安全なリンクであることが判ったとき、前記クライアントにより、前記対応する映像を取得する前に、映像情報サーバに、前記対応する映像の概要情報を要求し、前記映像情報サーバによって送信される前記対応する映像の前記概要情報を受信する段階と
をさらに有することを特徴とする請求項１に記載の方法。
【請求項３】
前記ローカル再生操作ポータルを介して前記ユーザからの前記再生リクエストを受信したとき、前記クライアントにより、前記ユーザによってリクエストされた前記映像リンクをローカル再生リストに追加する段階をさらに有することを特徴とする請求項１に記載の方法。
【請求項４】
生成される前記映像再生ウィンドウが、ウィンドウサイズ変更機能、ウィンドウ移動機能、及びウィンドウを閉じる機能を提供することを特徴とする請求項１ないし３のいずれか１項に記載の方法。
【請求項５】
生成される前記映像再生ウィンドウが、ウィンドウを最前面に表示する機能、再生開始機能、一時停止機能、音量調整機能、再生位置指定機能、再生時間表示機能、及び全画面表示切換え機能のうちの少なくとも１つを提供することを特徴とする請求項１ないし３のいずれか１項に記載の方法。
【請求項６】
前記概要情報が、映像のタイトル、映像の簡単な説明、映像のサムネイル、及び映像の再生時間のうちの少なくとも１つを含むことを特徴とする請求項１ないし３のいずれか１項に記載の方法。
【請求項７】
インスタントメッセージング（ＩＭ）システムのクライアントであって、
映像リンクを受信したとき、クライアントウィンドウを介して、前記映像リンク、対応する映像の概要情報、及びローカル再生操作ポータルを表示する表示モジュールと、
前記ローカル再生操作ポータルを介してユーザからの再生リクエストを受信したとき、映像再生ウィンドウを生成する生成モジュールと、
前記映像リンクに従って、対応する映像を取得する取得モジュールと、
前記生成モジュールによって生成される前記映像再生ウィンドウを介して、前記取得モジュールによって取得される前記対応する映像を再生する再生モジュールと
を具備することを特徴とするクライアント。
【請求項８】
認証モジュールをさらに具備し、
前記認証モジュールは、
前記映像リンクを受信したとき、前記対応する映像の前記概要情報を取得する前に、前記映像リンクの認証を行うように認証サーバに要求し、前記認証サーバによって送信される認証結果を受信するか、又は、
前記映像リンクを受信したとき、前記対応する映像の前記概要情報を取得する前に、前記映像リンクの認証を行い、
前記取得モジュールが、さらに、認証の結果、安全なリンクであることが判った場合に、映像情報サーバに、前記対応する映像の前記概要情報を要求し、前記映像情報サーバによって送信される前記対応する情報の前記概要情報を受信することを特徴とする請求項７に記載のクライアント。
【請求項９】
前記ローカル再生操作ポータルを介して前記ユーザからの前記再生リクエストを受信したとき、前記ユーザによってリクエストされた前記映像リンクをローカル再生リストに追加する再生リスト処理モジュールをさらに具備することを特徴とする請求項７に記載のクライアント。
【請求項１０】
前記生成モジュールによって生成される前記映像再生ウィンドウが、ウィンドウサイズ変更機能、ウィンドウ移動機能、及びウィンドウを閉じる機能を提供することを特徴とする請求項７ないし９のいずれか１項に記載のクライアント。
【請求項１１】
前記生成モジュールによって生成される前記映像再生ウィンドウが、ウィンドウを最前面に表示する機能、再生開始機能、一時停止機能、音量調整機能、再生位置指定機能、再生時間表示機能、及び全画面表示切換え機能のうちの少なくとも１つを提供することを特徴とする請求項７ないし９のいずれか１項に記載のクライアント。
【請求項１２】
前記表示モジュールによって表示される前記概要情報が、映像のタイトル、映像の簡単な説明、映像のサムネイル、及び映像の再生時間のうちの少なくとも１つを含むことを特徴とする請求項７ないし９のいずれか１項に記載のクライアント。
【発明の詳細な説明】
【技術分野】
【０００１】
この出願は、２０１１年２月２４日に出願された「Method and Device for Playing Video」と題した中国特許出願第２０１１１００４４６２６．９号の優先権を主張するものである。引用により、上記出願第２０１１１００４４６２６．９号の開示する内容が本明細書に組み込まれる。
【０００２】
本発明は、コンピュータ技術に関し、より詳細には、映像（ビデオ）を再生するための方法及び装置に関する。
【背景技術】
【０００３】
コンピュータ技術及びインターネット技術の発展に伴い、ニュース、ショッピングウェブサイト、映像等の情報を共有するために、そのような情報へのリンクをインスタントメッセージング（ＩＭ）システムのクライアントウィンドウを介して送信できるようになった。例えば、ニュースへのリンクを受信した場合、ＩＭクライアントは、クライアントウィンドウを介して、そのニュースリンクを表示する。また、ＩＭクライアントは、リンクの下に、ニュースのタイトル、画像、及び概要を表示することもできる。また、商品（コモディティ）リンクを受信した場合、ＩＭクライアントは、クライアントウィンドウを介して、その商品リンクを表示するとともに、商品リンクの下に、商品に関する画像を表示することができる。受信者は、送信者から受けったリンクに関心を抱いた場合に、そのリンクをクリックして、指定されたコンテンツを見ることができる。
【０００４】
上記のような情報共有方法において、受信者が映像を再生するとき、映像をＩＭシステムのクライアントウィンドウを介して直接表示するようにはなっていない。すなわち、受信者は、映像を視聴するためには、ウェブページに移動する必要がある。移動後に、クライアントとの統合はなされない。
【発明の概要】
【発明が解決しようとする課題】
【０００５】
本発明の目的は、映像を再生するのための方法及び装置を提供して、映像再生とインスタントメッセージング（ＩＭ）クライアントとの統合を実現することにある。そのために、本発明の実施態様は、以下の技術的解決策を採用する。
【課題を解決するための手段】
【０００６】
ＩＭシステムに適用される映像再生のための方法は、
映像リンクを受信したとき、ＩＭクライアントにより、クライアントウィンドウを介して、映像リンク、対応する映像の概要情報、及びローカル再生操作ポータルを表示する段階と、
ローカル再生操作ポータルを介してユーザからの再生リクエストを受信したとき、ＩＭクライアントにより、映像再生ウィンドウを生成し、映像リンクに従って、対応する映像を取得し、生成した映像再生ウィンドウを介して、取得した映像を再生する段階とを有する。
【０００７】
ＩＭシステムのクライアントは、表示モジュールと、生成モジュールと、取得モジュールと、再生モジュールとを具備する。
表示モジュールは、映像リンクを受信したとき、クライアントウィンドウを介して、映像リンク、対応する映像の概要情報、及びローカル再生操作ポータルを表示する。
生成モジュールは、ローカル再生操作ポータルを介してユーザからの再生リクエストを受信したとき、映像再生ウィンドウを生成する。
取得モジュールは、映像リンクに従って、対応する映像を取得する。
再生モジュールは、生成モジュールによって生成される映像再生ウィンドウを介して、取得モジュールによって取得される映像を再生する。
【発明の効果】
【０００８】
本願発明の上記の実施態様において、映像リンクを受信したとき、ＩＭクライアントは、クライアントウィンドウを介して、映像リンク及び対応する映像の概要情報を表示することができる。ユーザからの再生リクエストを受信したとき、ＩＭクライアントは、映像再生ウィンドウを生成し、対応する映像を取得し、生成した映像再生ウィンドウを介して、取得した映像を再生することができる。したがって、ユーザは、ＩＭクライアントを利用しながら、映像を再生可能となる。故に、映像再生とＩＭクライアントとの統合が実現され、ユーザ体験は向上する。
【図面の簡単な説明】
【０００９】
【図１】本発明の一実施形態による映像再生方法を示したフローチャートである。
【図２】本発明の一実施形態による映像再生方法を示したフローチャートである。
【図３】本発明の一実施形態により、クライアントウィンドウを介して表示されるコンテンツを示した概略図である。
【図４】本発明の一実施形態により、映像再生ウィンドウを介してどのように映像が再生されるかを示した概略図である。
【図５】本発明の一実施形態によるインスタントメッセージング（ＩＭ）クライアントの構成を示した概略図である。
【発明を実施するための形態】
【００１０】
本発明の一実施形態は、インスタントメッセージング（ＩＭ）システムに適用される映像再生方法を提供する。以下、添付の図面を参照して、本発明の各実施形態に関する詳細な説明を提供する。
【００１１】
図１は、本発明の一実施形態による映像再生方法を示したフローチャートである。図１に示された通り、この方法は、以下の複数のブロックを含む。
【００１２】
ブロック１０１で、映像リンクを受信すると、ＩＭクライアントは、クライアントウィンドウを介して、映像リンク、対応する映像の概要情報、及びローカル再生操作ポータルを表示する。
【００１３】
ＩＭクライアントは、通信相手によってオンライン又はオフラインで送信される映像リンクを受信できる。また、ＩＭクライアントは、システム又はサービスプロバイダ（ＳＰ）によって販売促進を目的として送信される映像リンク、又は、第三者システムによって送信される映像リンクを受信することもできる。
【００１４】
ブロック１０２で、ローカル再生操作ポータルを介してユーザからの再生リクエストを受信すると、ＩＭクライアントは、映像再生ウィンドウを生成し、映像リンクに従って、対応する映像を取得し、生成した映像再生ウィンドウを介して、取得した映像を表示する。
【００１５】
本発明の上記の実施形態では、ユーザからの再生リクエストを受信したとき、ＩＭクライアントは、映像再生ウィンドウを生成し、対応する映像を取得し、生成した映像再生ウィンドウを介して、取得した映像を表示できる。故に、ユーザは、ＩＭクライアントを利用しながら、映像を再生することも可能となる。したがって、映像再生とＩＭクライアントとの統合が実現でき、ユーザ体験は向上する。
【００１６】
本発明の一実施形態をより明確に説明するために、以下の特定の例を提供する。
【００１７】
本発明の一実施形態は、映像再生のための方法を提供する。図２に示された通り、この方法は、以下の複数のブロックを含む。
【００１８】
ブロック２０１で、ＩＭクライアントは、映像リンクを受信する。
【００１９】
ＩＭクライアントは、通信相手によってオンライン又はオフラインで送信される映像リンクを受信できる。また、ＩＭクライアントは、システム又はＳＰによって販売促進を目的として送信される映像リンク、又は、第三者システムによって送信される映像リンクを受信することもできる。
【００２０】
ブロック２０２で、ＩＭクライアントは、映像リンクの認証を行うように認証サーバに要求し、認証サーバによって送信される認証結果を受信する。あるいは、ＩＭクライアント自身が映像リンクの認証を行ってもよい。このブロックは選択的に実行される。
【００２１】
特に、映像リンクについての認証は、セキュリティ認証を含む。映像リンクについての認証は、ローカルで、又は、サーバ上で実行できる。クライアントのアプリケーション機能が特定の映像提供者によって提供される映像リンクだけを利用可能な場合、映像リンクについての認証は、ＩＭクライアントによってローカルに実行されてよい。例えば、クライアントが特定のウェブサイトの映像リンクしか表示しない場合、クライアントの代わりに、サーバによって認証が行われる。
【００２２】
サーバ側で実行される認証は、認証の柔軟性を向上させ、クライアントの機能を単純化し、クライアントが備えるべき機能を削減することができる。さらに、サーバによる認証は、その拡張が容易となる。
【００２３】
ブロック２０３で、認証の結果、安全なリンクであることが判った場合、クライアントは、映像情報サーバに、対応する映像の概要情報を要求し、映像情報サーバによって送信される映像の概要情報を受信する。
【００２４】
映像の概要情報は、映像のタイトル、映像の簡単な説明、映像の縮小画像（サムネイル）、映像の再生時間等を含んでよい。映像情報サーバによって提供されるコンテンツに従って、又はクライアントの設定に従って、概要情報は、映像のタイトル、タイトルの簡単な説明、タイトルのサムネイル、タイトルの再生時間のうちの少なくとも１つも含んでもよい。概要情報は、システムによって提供されるその他の情報を含んでもよい。
【００２５】
ブロック２０４で、クライアントは、クライアントウィンドウを介して、映像リンク、対応する映像の概要情報、及びローカル再生操作ポータルを表示する。
【００２６】
映像情報サーバから概要情報を受信すると、クライアントは、クライアントウィンドウを介して、取得した概要情報を表示する。クライアントウィンドウにより、ローカル再生操作ポータルが提供されてもよい。ローカル再生操作ポータルは、映像サムネイルに再生ボタンとして設定されてよく、又は再生を開始するその他のボタンとして設けられてもよい。ユーザは、映像を視聴するために、クライアントによって提供されるローカル再生操作ポータルをクリックして、ローカルに再生を開始するか、又は映像リンクをクリックして、元のＵＲＬのサイトを開く。図３は、本発明の一実施形態による、クライアントウィンドウを介してどのようにコンテンツを表示するかを示した概略図である。クライアントウィンドウを介してどのようにコンテンツを表示するかを示した概略図には、映像リンク１と、映像リンク２と、映像の概要情報３と、ローカル再生操作ポータル４とが含まれる。
【００２７】
ブロック２０５で、ローカル再生操作ポータルを介してユーザからの再生リクエストを受信すると、クライアントは、映像再生ウィンドウを生成し、映像リンクに従って、対応する映像を取得し、生成した映像再生ウィンドウを介して、取得した映像を表示する。
【００２８】
ユーザから再生リクエストを受信したとき、クライアントは、クライアントウィンドウの一側面に再生ウィンドウを生成してよい。再生ウィンドウは、ウィンドウサイズ変更機能、ウィンドウ移動機能、及びウィンドウを閉じる機能を提供できる。クライアントは、映像コンテンツを取得し、生成した映像再生ウィンドウを介して、映像を再生することができる。図４は、本発明の一実施形態により、映像再生ウィンドウを介してどのように映像を再生するかを示した概略図である。
【００２９】
クライアントは、プラグインをインストールすることによって映像を表示してもよい。クライアントは、映像リンクに従って、映像リンクに含まれるｆｌｖ映像フォーマットファイルを分析し、映像フォーマットファイルをダウンロードしてから、映像再生ウィンドウを介して、ダウンロードした映像を表示する。また、クライアントは、埋め込まれたウェブページとともに映像を表示してもよい。例えば、クライアントは、受信した映像リンクを介して、映像を提供するウェブサイトの再生モジュールのコードを呼び出す。次いで、クライアントは、クライアントの映像再生ウィンドウを介して映像を再生するために、呼び出したコードを、ローカル再生を実行するために用いられるコードに埋め込む。
【００３０】
ユーザは、再生ウィンドウによって提供されるウィンドウサイズ変更機能、ウィンドウ移動機能、及びウィンドウを閉じる機能により、再生ウィンドウのサイズ及び位置を調整できる。また、ユーザは、いつでも再生ウィンドウを閉じることができる。ユーザは、ローカル再生ウィンドウを設定することにより、ＩＭクライアントの利用と同時に、映像の再生を行える。ウィンドウの調整機能を用いることにより、映像再生に対する柔軟性がさらに提供され、ユーザ体験は向上する。
【００３１】
再生ウィンドウは、ウィンドウを最前面に表示する機能、再生開始機能、一時停止機能、音量調整機能、映像再生位置指定機能、再生時間表示機能、及び全画面表示切換え機能を含んでもよい。
【００３２】
クライアントには、デフォルトの再生オプションが設定されてよい。クライアントによって映像リンクが受信されたとき、デフォルトの再生オプションにより、ウィンドウが自動的にポップアップして、自動的に映像が再生されてよい。あるいは、クライアントによって映像リンクが受信されたとき、概要情報だけが表示されてもよい。また、ユーザがローカルで再生を要求してから、映像が表示されてもよい。
【００３３】
さらに、上記の手順は、以下のブロックを含んでよい。
【００３４】
ブロック２０６で、クライアントは、ユーザによってリクエストされた映像リンクをローカル再生リストに追加する。
【００３５】
クライアントは、ユーザによってリクエストされた映像リンクを保存しておくために、ローカル再生リストを提供する。ローカル再生リストにより、閲覧機能が提供されてよい。ローカル再生リスト中の映像リンクにより、再生機能が提供されてもよい。ローカル再生リストにより、現在再生中の映像が切り替えられてよい。
【００３６】
ローカル再生リストを設定することにより、映像リンクがクライアントウィンドウだけを介して表示される場合に、クライアントウィンドウのＩＭメッセージ履歴の更新に伴って映像の情報を検索することが困難となるという問題を回避できる。したがって、ユーザは、ＩＭ使用中に共有された映像の閲覧及び再生を容易に行える。
【００３７】
本発明の一実施形態では、ユーザからの再生リクエストを受信したとき、ＩＭクライアントは、映像再生ウィンドウを生成し、対応する映像を取得し、生成した映像再生ウィンドウを介して、取得した映像を再生できる。したがって、ユーザは、ＩＭクライアントを使用しながら、映像を再生可能となる。映像再生とＩＭクライアントとの統合が実現され、ユーザ体験は向上する。ローカル再生リストを設定することにより、クライアントウィンドウのＩＭメッセージ履歴の更新に伴って映像の情報を検索することが困難となるという問題を回避できる。したがって、ユーザは、ＩＭ使用中に共有された映像の閲覧及び再生を容易に行える。
【００３８】
また、上記の実施形態と同一の技術的思想に基づき、本発明の一実施形態は、ソフトウェアとして実現されるＩＭクライアントを提供する。
【００３９】
図５は、本発明の一実施形態によるＩＭクライアントの構造を示した概略図である。図５におけるＩＭクライアントは、表示モジュール１１と、生成モジュール１２と、取得モジュール１３と、再生モジュール１４とを具備する。
【００４０】
表示モジュール１１は、映像リンクを受信したとき、クライアントウィンドウを介して、映像リンク、対応する映像の概要情報、及びローカル再生操作ポータルを表示するように構成される。
【００４１】
生成モジュール１２は、ローカル再生操作ポータルを介してユーザからの再生リクエストを受信したとき、映像再生ウィンドウを生成するように構成される。
【００４２】
取得モジュール１３は、映像リンクに従って、対応する映像を取得するように構成される。
【００４３】
再生モジュール１４は、生成モジュール１２によって生成される映像再生ウィンドウを介して、取得モジュールによって取得される映像を再生するように構成される。
【００４４】
また、ＩＭクライアントは、認証モジュールをさらに具備してよい。
【００４５】
認証モジュールは、映像リンクを受信したとき、映像を取得する前に、映像リンクの認証を行うように認証サーバに要求し、認証サーバによって送信される認証結果を受信するように構成される。
【００４６】
認証モジュールは、映像リンクを受信したとき、映像の概要情報を取得する前に、自身で映像リンクの認証を行うように構成されてもよい。
【００４７】
取得モジュールは、認証の結果、安全なリンクであると分かった場合に、映像情報サーバに、対応する映像の概要情報を要求し、映像情報サーバによって送信される映像の概要情報を受信するようにさらに構成される。
【００４８】
また、ＩＭクライアントは、ユーザから再生リクエストを受信したとき、ユーザによってリクエストされた映像リンクをローカル再生リストに追加するように構成された再生リスト処理モジュールをさらに具備してよい。
【００４９】
生成モジュールによって生成される映像再生ウィンドウにより、ウィンドウサイズ変更機能、ウィンドウ移動機能、及びウィンドウを閉じる機能が提供されてよい。
【００５０】
生成モジュールによって生成される映像再生ウィンドウは、ウィンドウを最前面に表示する機能、再生開始機能、一時停止機能、音量調整機能、映像再生位置指定機能、再生時間表示機能、及び全画面表示切換え機能のうちの少なくとも１つの機能を提供してよい。
【００５１】
表示モジュールによって表示される映像の概要情報は、映像のタイトル、映像の簡単な説明、映像のサムネイル、及び映像の再生時間のうちの少なくとも１つの情報を含んでよい。
【００５２】
本発明の実施形態では、ユーザからの再生リクエストを受信したとき、ＩＭクライアントは、映像再生ウィンドウを生成し、対応する映像を取得し、生成した映像再生ウィンドウを介して、取得した映像を再生することができる。したがって、ユーザは、ＩＭクライアントを利用しながら、映像を再生可能となる。映像再生とＩＭクライアントとの統合が実現でき、ユーザ体験は向上する。クライアントウィンドウのＩＭメッセージ履歴が更新されるに伴って映像の情報を検索することが困難となるという問題は、ローカル再生リストを設定することによって回避できる。したがって、ユーザは、ＩＭ使用中に共有された映像の閲覧及び再生を行える。
【００５３】
本発明の一実施形態によって提供される装置中のモジュールは、その実施形態の様相に応じて装置中に配置されてよいということを、当業者は容易に理解する。あるいは、本発明の一実施形態によって提供される装置中のモジュールは、対応する要素に変更されてもよい。対応する要素は、実施形態の様相とは異なった１つ以上の装置に配置できる。上記の実施形態のモジュールの各々は、他のモジュールと組み合わされてよく、また、２つ以上のサブモジュールにさらに分割されてもよい。
【００５４】
上記の実施形態に関する記載に基づき、本発明の技術的解決策をソフトウェア及び必要となるコモンハードウェアプラットフォームを用いて実現できるということを、当業者は容易に理解する。多くの場合、このような実施形態は、より良い形態となり得る。また、当然ながら、本発明の技術的解決策は、ハードウェアだけを用いて実施されてもよい。特に、従来技術と比較した場合に、本発明の技術的解決策の顕著な特徴は、上記の理解に基づいたソフトウェア製品として実現できる。コンピュータプログラム製品は、記録媒体に格納され、本発明の各実施形態として記載された方法を端末（携帯電話、パーソナルコンピュータ（ＰＣ）、サーバ、ネットワークデバイス等であってよい）に実行させるいくつかの命令を含む。
【００５５】
以上に記載したものは、本発明の好適な実施形態に過ぎない。本発明の原理から逸脱することなく当業者によってなされるあらゆる改良及び修正は、本発明の保護範囲に包含される。
【符号の説明】
【００５６】
１１  表示モジュール
１２  生成モジュール
１３  取得モジュール
１４  再生モジュール
【図１】
2013546052.tif 000003
【図２】
2013546052.tif 000004
【図３】
2013546052.tif 000005
【図４】
2013546052.tif 000006
【図５】
2013546052.tif 000007
【手続補正書】
【提出日】平成25年4月3日(2013.4.3)
【手続補正１】
【補正対象書類名】明細書
【補正対象項目名】００２３
【補正方法】変更
【補正の内容】
【００２３】
ブロック２０３で、認証結果により、映像リンクが安全なリンクであることが証明された場合、クライアントは、映像情報サーバに、対応する映像の概要情報を要求し、映像情報サーバによって送信される映像の概要情報を受信する。
【手続補正２】
【補正対象書類名】明細書
【補正対象項目名】００２８
【補正方法】変更
【補正の内容】
【００２８】
ユーザから再生リクエストを受信したとき、クライアントは、クライアントウィンドウの一側面に映像再生ウィンドウを生成してよい。映像再生ウィンドウは、ウィンドウサイズ変更機能、ウィンドウ移動機能、及びウィンドウを閉じる機能を提供できる。クライアントは、映像コンテンツを取得し、生成した映像再生ウィンドウを介して、映像を再生することができる。図４は、本発明の一実施形態により、映像再生ウィンドウを介してどのように映像を再生するかを示した概略図である。
【手続補正３】
【補正対象書類名】明細書
【補正対象項目名】００３０
【補正方法】変更
【補正の内容】
【００３０】
ユーザは、映像再生ウィンドウによって提供されるウィンドウサイズ変更機能、ウィンドウ移動機能、及びウィンドウを閉じる機能により、映像再生ウィンドウのサイズ及び位置を調整できる。また、ユーザは、いつでも映像再生ウィンドウを閉じることができる。ユーザは、ローカル再生ウィンドウを設定することにより、ＩＭクライアントの利用と同時に、映像の再生を行える。ウィンドウの調整機能を用いることにより、映像再生に対する柔軟性がさらに提供され、ユーザ体験は向上する。
【手続補正４】
【補正対象書類名】明細書
【補正対象項目名】００３１
【補正方法】変更
【補正の内容】
【００３１】
映像再生ウィンドウは、ウィンドウを最前面に表示する機能、再生開始機能、一時停止機能、音量調整機能、映像再生位置指定機能、再生時間表示機能、及び全画面表示切換え機能を含んでもよい。
【手続補正５】
【補正対象書類名】明細書
【補正対象項目名】００４３
【補正方法】変更
【補正の内容】
【００４３】
再生モジュール１４は、生成モジュール１２によって生成される映像再生ウィンドウを介して、取得モジュール１３によって取得される映像を再生するように構成される。
【手続補正６】
【補正対象書類名】明細書
【補正対象項目名】００４７
【補正方法】変更
【補正の内容】
【００４７】
取得モジュールは、認証結果により、映像リンクが安全なリンクであることが証明された場合に、映像情報サーバに、対応する映像の概要情報を要求し、映像情報サーバによって送信される映像の概要情報を受信するようにさらに構成される。
【手続補正７】
【補正対象書類名】特許請求の範囲
【補正対象項目名】全文
【補正方法】変更
【補正の内容】
【特許請求の範囲】
【請求項１】
インスタントメッセージング（ＩＭ）システムに適用される映像再生のための方法であって、
映像リンクを受信したとき、前記ＩＭシステムのクライアントにより、クライアントウィンドウを介して、前記映像リンク、対応する映像の概要情報、及びローカル再生操作ポータルを表示する段階と、
前記ローカル再生操作ポータルを介してユーザからの再生リクエストを受信したとき、前記クライアントにより、映像再生ウィンドウを生成し、前記映像リンクに従って、対応する映像を取得し、生成した前記映像再生ウィンドウを介して、取得した前記対応する映像を再生する段階と
を有することを特徴とする方法。
【請求項２】
前記映像リンクを受信したとき、前記クライアントにより、前記対応する映像を取得する前に、前記映像リンクの認証を行うように認証サーバに要求し、前記認証サーバによって送信される認証結果を受信する段階と、
前記映像リンクを受信し、かつ、前記認証結果により、前記映像リンクが安全なリンクであることが証明されたとき、前記クライアントにより、前記対応する映像を取得する前に、映像情報サーバに、前記対応する映像の概要情報を要求し、前記映像情報サーバによって送信される前記対応する映像の前記概要情報を受信する段階と
をさらに有することを特徴とする請求項１に記載の方法。
【請求項３】
前記ローカル再生操作ポータルを介して前記ユーザからの前記再生リクエストを受信したとき、前記クライアントにより、前記ユーザによってリクエストされた前記映像リンクをローカル再生リストに追加する段階をさらに有することを特徴とする請求項１に記載の方法。
【請求項４】
生成される前記映像再生ウィンドウが、ウィンドウサイズ変更機能、ウィンドウ移動機能、及びウィンドウを閉じる機能を提供することを特徴とする請求項１ないし３のいずれか１項に記載の方法。
【請求項５】
生成される前記映像再生ウィンドウが、ウィンドウを最前面に表示する機能、再生開始機能、一時停止機能、音量調整機能、再生位置指定機能、再生時間表示機能、及び全画面表示切換え機能のうちの少なくとも１つを提供することを特徴とする請求項１ないし３のいずれか１項に記載の方法。
【請求項６】
前記概要情報が、映像のタイトル、映像の簡単な説明、映像のサムネイル、及び映像の再生時間のうちの少なくとも１つを含むことを特徴とする請求項１ないし３のいずれか１項に記載の方法。
【請求項７】
インスタントメッセージング（ＩＭ）システムのクライアントであって、
映像リンクを受信したとき、クライアントウィンドウを介して、前記映像リンク、対応する映像の概要情報、及びローカル再生操作ポータルを表示する表示モジュールと、
前記ローカル再生操作ポータルを介してユーザからの再生リクエストを受信したとき、映像再生ウィンドウを生成する生成モジュールと、
前記映像リンクに従って、対応する映像を取得する取得モジュールと、
前記生成モジュールによって生成される前記映像再生ウィンドウを介して、前記取得モジュールによって取得される前記対応する映像を再生する再生モジュールと
を具備することを特徴とするクライアント。
【請求項８】
認証モジュールをさらに具備し、
前記認証モジュールは、
前記映像リンクを受信したとき、前記対応する映像の前記概要情報を取得する前に、前記映像リンクの認証を行うように認証サーバに要求し、前記認証サーバによって送信される認証結果を受信するか、又は、
前記映像リンクを受信したとき、前記対応する映像の前記概要情報を取得する前に、前記映像リンクの認証を行い、
前記取得モジュールが、さらに、前記認証結果により、前記映像リンクが安全なリンクであることが証明された場合に、映像情報サーバに、前記対応する映像の前記概要情報を要求し、前記映像情報サーバによって送信される前記対応する情報の前記概要情報を受信することを特徴とする請求項７に記載のクライアント。
【請求項９】
前記ローカル再生操作ポータルを介して前記ユーザからの前記再生リクエストを受信したとき、前記ユーザによってリクエストされた前記映像リンクをローカル再生リストに追加する再生リスト処理モジュールをさらに具備することを特徴とする請求項７に記載のクライアント。
【請求項１０】
前記生成モジュールによって生成される前記映像再生ウィンドウが、ウィンドウサイズ変更機能、ウィンドウ移動機能、及びウィンドウを閉じる機能を提供することを特徴とする請求項７ないし９のいずれか１項に記載のクライアント。
【請求項１１】
前記生成モジュールによって生成される前記映像再生ウィンドウが、ウィンドウを最前面に表示する機能、再生開始機能、一時停止機能、音量調整機能、再生位置指定機能、再生時間表示機能、及び全画面表示切換え機能のうちの少なくとも１つを提供することを特徴とする請求項７ないし９のいずれか１項に記載のクライアント。
【請求項１２】
前記表示モジュールによって表示される前記概要情報が、映像のタイトル、映像の簡単な説明、映像のサムネイル、及び映像の再生時間のうちの少なくとも１つを含むことを特徴とする請求項７ないし９のいずれか１項に記載のクライアント。
【手続補正８】
【補正対象書類名】図面
【補正対象項目名】図２
【補正方法】変更
【補正の内容】
【図２】
2013546052.tif 000008
【国際調査報告】
2013546052.tif 000009
2013546052.tif 000010
2013546052.tif 000011
2013546052.tif 000012
2013546052.tif 000013